(57)【要約】      （修正有）【課題】必要なときに自動的にファン交換を行うことのできるファン自動交換装置を提供する。【解決手段】ファンユニットが着脱可能に取り付けられた電子機器１０に結合するための結合部と、交換用のファンユニットが収納された交換用ユニット収納部２１と、電子機器のファンユニット１７における取り換えの要不要を検出する検出手段による検出に基づき電子機器のファンユニット１７を取り外すユニット除去手段２２と、ファンユニット１７が取り外された場合に、交換用ユニット収納部２１から交換用のファンユニットを取り出し、電子機器に設置するユニット設置手段２５とを具備する。【選択図】図１
2008060242.tif 000002
【特許請求の範囲】
【請求項１】
ファンユニットが着脱可能に取り付けられた電子機器に結合するための結合部と、
交換用のファンユニットが収納された交換用ユニット収納部と、
電子機器のファンユニットにおける取り換えの要不要を検出する検出手段による検出に基づき電子機器のファンユニットを取り外すユニット除去手段と、
ファンユニットが取り外された場合に、交換用ユニット収納部から交換用のファンユニットを取り出し、電子機器に設置するユニット設置手段と
を具備することを特徴とするファン自動交換装置。
【請求項２】
ユニット除去手段により取り外されたファンユニットを収納するための使用済ユニット収納部と、
ユニット除去手段により取り外されたファンユニットを使用済ユニット収納部へ収納するユニット片付手段と
を具備することを特徴とする請求項１に記載のファン自動交換装置。
【請求項３】
交換用のファンユニットは、密封シールにより包装されており、
電子機器に設置する前に前記密封シールを取り去る包装除去手段を備えることを特徴とする請求項１または２に記載のファン自動交換装置。
【請求項４】
交換用ユニット収納部は、ファンユニットの収納室を複数備え、回転により収納室が電子機器のファンユニット配置位置に対応付けられる円筒体によって構成されており、
使用済ユニット収納部は、前記収納室における空室であることを特徴とする請求項２または請求項３に記載のファン自動交換装置。
【請求項５】
検出手段は、電子機器に着脱可能に取り付けられたファンユニットから送出されるアラーム信号または始動時からの経過時間に基づき電子機器のファンユニットにおける取り換えの要不要を検出することを特徴とする請求項１乃至４のいずれか１項に記載のファン自動交換装置。
【請求項６】
ファンユニットが着脱可能に取り付けられると共に電子機器のファンユニットにおける取り換えの要不要を検出する検出手段を備え、ファン自動交換装置と一体化された電子機器であって、前記ファン自動交換装置が、
交換用のファンユニットが収納された交換用ユニット収納部と、
前記検出手段による検出に基づき電子機器のファンユニットを取り外すユニット除去手段と、
ファンユニットが取り外された場合に、交換用ユニット収納部から交換用のファンユニットを取り出し、電子機器に設置するユニット設置手段と
を具備することを特徴とする電子機器。
【請求項７】
前記ファン自動交換装置が、
ユニット除去手段により取り外されたファンユニットを収納するための使用済ユニット収納部と、
ユニット除去手段により取り外されたファンユニットを使用済ユニット収納部へ収納するユニット片付手段と
を具備することを特徴とする請求項６に記載の電子機器。
【請求項８】
交換用のファンユニットは、密封シールにより包装されており、
前記ファン自動交換装置には、電子機器に設置する前に前記密封シールを取り去る包装除去手段が具備されていることを特徴とする請求項６または７に記載の電子機器。
【請求項９】
交換用ユニット収納部は、ファンユニットの収納室を複数備え、回転により収納室が電子機器のファンユニット配置位置に対応付けられる円筒体によって構成されており、
使用済ユニット収納部は、前記収納室における空室であることを特徴とする請求項２または請求項８に記載の電子機器。
【請求項１０】
検出手段は、電子機器に着脱可能に取り付けられたファンユニットから送出されるアラーム信号または始動時からの経過時間に基づき電子機器のファンユニットにおける取り換えの要不要を検出することを特徴とする請求項６乃至９のいずれか１項に記載の電子機器。
【発明の詳細な説明】
【技術分野】
【０００１】
この発明は、ファンユニットが着脱可能に取り付けられた電子機器における上記ファンユニットを自動的に交換するファン自動交換装置及び、このファン自動交換装置と一体化された電子機器に関するものである。
【背景技術】
【０００２】
従来の電子機器においては、冷却ファンの寿命時や故障時にアラーム表示を行い、これを確認した保守員がファン交換を行うものである。例えば、特許文献１には、アラームを通信部により通知するものが示されている。
【特許文献１】特開２００３−２５５７８５号公報
【０００３】
しかしながら、ファン交換は人手により行われるものであり、電子機器の設置場所まで赴き交換作業を行うため、時間を要する上にファンが故障中に電子機器が稼働状態であると電子機器自体がダメージを受けることになる問題があった。
【０００４】
また、一般的にファンの寿命は取り付けられている電子機器の寿命よりも短いものであるため、定期保守が必要となり人手を煩わせるものである。
【発明の開示】
【発明が解決しようとする課題】
【０００５】
発明が解決しようとする課題は、ファン交換が人手によってなされることであり、本発明の目的は、必要なときに自動的にファン交換を行うファン自動交換装置及び、このファン自動交換装置と一体化された電子機器を提供することである。
【課題を解決するための手段】
【０００６】
本発明に係るファン自動交換装置は、ファンユニットが着脱可能に取り付けられた電子機器に結合するための結合部と、交換用のファンユニットが収納された交換用ユニット収納部と、電子機器のファンユニットにおける取り換えの要不要を検出する検出手段による検出に基づき電子機器のファンユニットを取り外すユニット除去手段と、ファンユニットが取り外された場合に、交換用ユニット収納部から交換用のファンユニットを取り出し、電子機器に設置するユニット設置手段とを具備することを特徴としている。
【０００７】
本発明に係るファン自動交換装置は、ユニット除去手段により取り外されたファンユニットを収納するための使用済ユニット収納部と、ユニット除去手段により取り外されたファンユニットを使用済ユニット収納部へ収納するユニット片付手段とを具備することを特徴とする。
【０００８】
本発明に係るファン自動交換装置では、交換用のファンユニットは、密封シールにより包装されており、電子機器に設置する前に前記密封シールを取り去る包装除去手段を備えることを特徴とする。
【０００９】
本発明に係るファン自動交換装置は、交換用ユニット収納部は、ファンユニットの収納室を複数備え、回転により収納室が電子機器のファンユニット配置位置に対応付けられる円筒体によって構成されており、使用済ユニット収納部は、前記収納室における空室であることを特徴とする。
【００１０】
本発明に係るファン自動交換装置では、検出手段は、電子機器に着脱可能に取り付けられたファンユニットから送出されるアラーム信号または始動時からの経過時間に基づき電子機器のファンユニットにおける取り換えの要不要を検出することを特徴とする。
【００１１】
本発明に係る電子機器は、ファンユニットが着脱可能に取り付けられると共にファン自動交換装置と一体化された電子機器であって、前記ファン自動交換装置が、交換用のファンユニットが収納された交換用ユニット収納部と、電子機器のファンユニットにおける取り換えの要不要を検出する検出手段と、前記検出手段による検出に基づき電子機器のファンユニットを取り外すユニット除去手段と、ファンユニットが取り外された場合に、交換用ユニット収納部から交換用のファンユニットを取り出し、電子機器に設置するユニット設置手段とを具備することを特徴とする。
【００１２】
本発明に係る電子機器では、前記ファン自動交換装置が、ユニット除去手段により取り外されたファンユニットを収納するための使用済ユニット収納部と、ユニット除去手段により取り外されたファンユニットを使用済ユニット収納部へ収納するユニット片付手段とを具備することを特徴とする。
【００１３】
本発明に係る電子機器では、交換用のファンユニットは、密封シールにより包装されており、前記ファン自動交換装置には、電子機器に設置する前に前記密封シールを取り去る包装除去手段が具備されていることを特徴とする。
【００１４】
本発明に係る電子機器では、交換用ユニット収納部は、ファンユニットの収納室を複数備え、回転により収納室が電子機器のファンユニット配置位置に対応付けられる円筒体によって構成されており、使用済ユニット収納部は、前記収納室における空室であることを特徴とする。
【００１５】
本発明に係る電子機器では、検出手段は、電子機器に着脱可能に取り付けられたファンユニットから送出されるアラーム信号または始動時からの経過時間に基づき電子機器のファンユニットにおける取り換えの要不要を検出することを特徴とする。
【発明の効果】
【００１６】
本発明では、交換用ユニット収納部に交換用のファンユニットが収納されており、電子機器のファンユニットにおける取り換えの要不要を検出して、電子機器のファンユニットを取り外し、ファンユニットが取り外された場合に、交換用ユニット収納部から交換用のファンユニットを取り出し、電子機器に設置する構成を備えているので、電子機器のファンユニットにおける取り換えが必要となると、電子機器におけるファンユニットの取り外し処理が自動的に行われ、また、交換用ユニット収納部から取り出した交換用のファンユニットを電子機器に設置する処理が自動的に行われ、人手を煩わせることなくファン交換がなされる。
【発明を実施するための最良の形態】
【００１７】
本発明では、電子機器のファンユニットにおける取り換えの要不要を検出して、電子機器のファンユニットを取り外す構成と、交換用ユニット収納部から交換用のファンユニットを取り出し、電子機器に設置する構成を具備することにより、人手を要することなく必要なときに自動的にファン交換を行うという目的を達成したものである。
【実施例１】
【００１８】
以下添付図面を参照して、本発明に係るファン自動交換装置及び電子機器の実施例を説明する。各図において、同一の構成要素には同一の符号を付して重複する説明を省略する。図１には、本発明に係るファン自動交換装置２０及び電子機器１０の実施例のブロック図が示されている。電子機器１０は、電子機器主回路１１を備えて、この機器が実現する処理を行う。例えば、電子機器１０が監視カメラであれば、ズームや旋回の制御や画像信号の取得に関する処理及び伝送に関する処理などを行う。
【００１９】
電子機器１０には、電子機器主回路１１を制御する制御部１２、アラーム表示部１３、アラーム処理部１４、端子接続部１５、送信部１８、電源部１６及びファンユニット１７が備えられている。電源部１６は、各部へ電力供給を行うもので、ファンユニット１７に対しては、端子接続部１５を介して電力供給を行う。
【００２０】
アラーム処理部１４は、ファンユニット１７から端子接続部１５を介して、例えば回転数信号を得ており、この信号に基づき回転数が所定の範囲から外れるとファンユニットにおける取り換えが必要であることを検出する検出手段を構成する。アラーム処理部１４による検出結果は、制御部１２に送られる。
【００２１】
制御部１２は、アラーム処理部１４からファンユニット１７の交換要の通知を受けてアラーム表示部１３を制御してアラーム表示を行うと共に、送信部１８を制御して交換要の通知をセンタ監視局へ送信すると共にファン自動交換装置２０の制御手段２８へ通知するものである。
【００２２】
ファン自動交換装置２０には、交換用のファンユニットが収納された交換用ユニット収納部２１、検出手段であるアラーム処理部１４による検出に基づく制御部１２からの通知を受けて各部を制御する制御手段２８、制御手段２８の制御を受けて電子機器１０のファンユニット１７を取り外すユニット除去手段２２と、ファンユニットが取り外された場合に、交換用ユニット収納部２１から交換用のファンユニットを取り出し、電子機器に設置するユニット設置手段２５と、ユニット除去手段２２により取り外されたファンユニットを収納するための使用済ユニット収納部２３と、ユニット除去手段２２により取り外されたファンユニットを使用済ユニット収納部２３へ収納するユニット片付手段２４と、各部へ電力供給する電源部２６を備えている。
【００２３】
電子機器１０に備えられたファンユニットの交換を実現するファン自動交換装置２０の構成を図２に示す。この実施例では、電子機器１０は電子機器筐体１０Ａに収容されており、ファン自動交換装置２０は電子機器筐体１０Ａ上にファン自動交換装置筐体２０Ａに収容されている。この例では、電子機器筐体１０Ａとファン自動交換装置筐体２０Ａとは、凹凸により取り外し可能に結合するための結合部３１により結合されているが、電子機器筐体１０Ａとファン自動交換装置筐体２０Ａとが一体化されて形成されていても良い。ファンユニット１７は電子機器筐体１０Ａのファンユニット収納室３２に収納され、電極３３が前述の端子接続部１５と電気的に接続されている。
【００２４】
交換用ユニット収納部２１には、例えば、２台の交換用のファンユニット３４Ａ、３４Ｂが収納されている。使用済ユニット収納部２３は、当初は空の状態にある。ファン自動交換装置筐体２０Ａの天井には、レール３５が敷設されており、交換用ユニット収納部２１の位置、使用済ユニット収納部２３の位置及びファンユニット収納室３２の位置に対応して概ねコ字状になされている。
【００２５】
上記レール３５には、例えばモータ駆動の車輪により移動するチャック３６が吊り下げられて設けられており、チャック３６は吸引によりファンユニットを吊して移動するように構成されている。チャック３６はアーム３７を油圧機構などにより伸長可能となっている。交換用ユニット収納部２１の出口付近には、横方向から出口を僅かに狭めた状態とする爪部３８が設けられており、交換用のファンユニット３４Ａ、３４Ｂが密封シールにより包装されていることに対応して、密封シールを取り去る包装除去手段を構成している。
【００２６】
以上のように構成されたファン自動交換装置２０にあっては、制御手段２８が図３に示されるフローチャートに対応するプログラムに基づき各部を制御してファン交換を行うので、以下に図３のフローチャートを参照して動作を説明する。制御手段２８は、アラーム処理部１４による検出に基づく制御部１２からの通知による交換要求の到来を待っており（Ｓ１１）、交換要求が到来すると、チャック３６をホームポジション（例えば、レール３５のいずれかの端部）からファンユニット収納室３２の上方位置（Ｐ１）へ移動させ、アーム３７を延ばして設置されているファンユニット１７を吸引して吊して取り外し（Ｓ１２）、アーム３７を縮めてファン自動交換装置筐体２０Ａ内を移動可能な高さに吊り下げ、レール３５をポジションＰ２、Ｐ３と移動して使用済ユニット収納部２３内のポジションＰ４へファンユニット１７を収納する（Ｓ１３）。
【００２７】
次に、チャック３６を交換用ユニット収納部２１の先頭側にある交換用のファンユニット３４ＡのポジションＰ５へ位置付け、アーム３７を少し延ばして収納されている交換用のファンユニット３４Ａを吸引して吊して取り出し（Ｓ１４）、ポジションＰ６方向へ移動させる（Ｓ１５）。このとき、爪部３８が交換用のファンユニット３４Ａの密封シールを破り、密封シールが取り去られる。このように、交換のときまで交換用のファンユニット３４Ａ、３４Ｂが密封シールにより覆われているため、湿気や塵埃などの影響によりファンの回転軸のオイルが変化したり塵埃が付着して寿命が早まる事態を防いでいる。
【００２８】
チャック３６は、レール３５をポジションＰ６からファンユニット収納室３２の上方位置（Ｐ１）へと移動させられて、アーム３７が延ばされてチャック３６の吸引が停止され、ファンユニット収納室３２に交換用のファンユニット３４Ａが設置される（Ｓ１６）。このとき、電極３３が前述の端子接続部１５と電気的に接続される。
【００２９】
再び、アーム３７を縮めてチャック３６をポジションＰ６からポジションＰ５へ戻し、密封シールを吸引させて使用済ユニット収納部２３内のポジションＰ４へ移動させて吸引を止めさせて密封シールを置き去るようにし、チャック３６をホームポジションへ戻して（Ｓ１７）、ステップＳ１１における監視を続ける。このように自動的にファンユニットの交換が自動的に行われ、ファン交換が人手によることなく必要なときに交換が行われる。なお、端子接続部１５を介しての通電は交換の間には停止する。通電開始は、制御手段２８から制御部１２へ交換完了を通知した後に制御部１２の制御により行われる。
【実施例２】
【００３０】
図４に、本発明の第２の実施例に係るファン自動交換装置を示す。本実施例のファン自動交換装置２０も、電子機器筐体１０Ａ上に設けられ、機能構成は図１に示されているもので、図２に示したファン自動交換装置筐体２０Ａと同形状の筐体４０に収容されている。この実施例に係るファン自動交換装置は内部を透視した状態の図４に示すように、収納部４１が、本体４２に設けられたモータ４３により回転させられる。収納部４１は円筒体状をなしており、１２０度毎に収納室４４ａ〜４４ｃが形成されている（平面図の図５参照）。例えば、収納室４４ａは空室であり、使用済ユニット収納部として機能する。また、収納室４４ｂ、４４ｃには、密封シールにより包装された交換用のファンユニット４５ｂ、４５ｃが収納され、この収納室４４ｂ、４４ｃは、交換用ユニット収納部として機能する。上記密封シールは、収納室４４ｂ、４４ｃの壁部に例えば接着されており、交換用のファンユニット４５ｂ、４５ｃの取り出しの際には、収納室４４ｂ、４４ｃに残存する。
【００３１】
本体４２には、収納室４４ａ〜４４ｃの中央にアームを伸縮可能なチャック４６が設けられている。このチャック４６及び上記のモータ４３は、制御手段２８が図６に示されるフローチャートに対応するプログラムに基づき各部を制御してファン交換を行うので、以下に図６のフローチャートを参照して動作を説明する。制御手段２８は、アラーム処理部１４による検出に基づく制御部１２からの通知による交換要求の到来を待っており（Ｓ２１）、交換要求が到来すると、収納部４１をホームポジションから回転して空室の収納室４４ａをファンユニット収納室３２の上方位置へ位置付け、チャック４６のアームを延ばして設置されているファンユニットを吸引して吊して取り外し（Ｓ２２）、アームを縮めて上記で取り出したファンユニットを空室の収納室４４ａに収納する（Ｓ２３）。ファンユニットは、収納室４４ａに収納された状態では、例えば壁面に隙間がなく嵌合状態となり、下方へ滑り落ちることはない。
【００３２】
上記ステップＳ１３に続いて、収納部４１を回転し、交換用のファンユニット４５ｂが収納されている収納室４４ｂをファンユニット収納室３２の上方位置へ位置付け、チャック４６のアームを延ばして収納室４４ｂ内から交換用のファンユニット４５ｂを押し出し、ファンユニット収納室３２に交換用のファンユニット４５ｂを設置する（Ｓ２４）と共にチャック４６の吸引を停止すると共にアームを縮めて、更に収納部４１をモータ４３により回転してホームポジションへ移動して（Ｓ２５）、ステップＳ２１における監視を続ける。上記収納室４４ｂ内から交換用のファンユニット４５ｂを押し出しするときに密封シールが破られ、収納室４４ｂ内に残存する。
【００３３】
上記のように自動的にファンユニットの交換が自動的に行われ、ファン交換が人手によることなく必要なときに交換が行われる。なお、端子接続部１５を介しての通電は交換の間には停止する。通電開始は、制御手段２８から制御部１２へ交換完了を通知した後に制御部１２の制御により行われる。なお、上記の例では、収納部４１に３つの収納室を形成したが、図７に示されるように４つの収納室を形成し、いずれか１つを空室とし、３つの収納室に交換用のファンユニットを収納しておくこともできる。この場合には、３度の交換が可能であり、電子機器の寿命が長い場合に対応することができる。また、上記の２つの実施例では、吸引チャックを用いたが、電磁石などにより吸引と吸引解除を行うように構成することもできる。更に、使用済ユニット収納部を電子機器の下部に取り付け、使用済のファンユニットを下方へ押し出して使用済ユニット収納部内へ落下させるような構成を採用することもできる。
【図面の簡単な説明】
【００３４】
【図１】本発明に係るファン自動交換装置と電子機器の実施例のブロック図。
【図２】本発明に係るファン自動交換装置の第１の実施例の構成を示す斜視図。
【図３】本発明に係るファン自動交換装置の第１の実施例の動作を説明するためのフローチャート。
【図４】本発明に係るファン自動交換装置の第２の実施例の構成を示す斜視図。
【図５】本発明に係るファン自動交換装置の第２の実施例の要部平面図。
【図６】本発明に係るファン自動交換装置の第２の実施例の動作を説明するためのフローチャート。
【図７】本発明に係るファン自動交換装置の第２の実施例の変形例に係る要部平面図。
【符号の説明】
【００３５】
１０  電子機器
１０Ａ  電子機器筐体
１１  電子機器主回路
１２  制御部
１３  アラーム表示部
１４  アラーム処理部
１５  端子接続部
１６、２６  電源部
１７  ファンユニット
１８  送信部
２０  ファン自動交換装置
２０Ａ  ファン自動交換装置筐体
２１  交換用ユニット収納部
２２  ユニット除去手段
２３  使用済ユニット収納部
２４  ユニット片付手段
２５  ユニット設置手段
２８  制御手段
３１  結合部
３２  ファンユニット収納部
３４Ａ、３４Ｂ  ファンユニット
３５  レール
３６  チャック
３８  爪部
４０  筐体
４１  収納部
４２  本体
４４ａ〜４４ｄ  収納室
４５ｂ、４５ｃ  ファンユニット
４６  チャック
【図１】
2008060242.tif 000003
【図２】
2008060242.tif 000004
【図３】
2008060242.tif 000005
【図４】
2008060242.tif 000006
【図５】
2008060242.tif 000007
【図６】
2008060242.tif 000008
【図７】
2008060242.tif 000009